(57)【特許請求の範囲】
【請求項１】
自動販売機各部をそれぞれ個別に制御する複数の端末制御部と、それらの端末制御部を統括して制御する主制御部と、金銭的価値が電子データとして記録されているＩＣカードを受け入れて、セキュリティチップを介して前記ＩＣカードのデータの読み書きを行い、前記ＩＣカードのデータから販売商品の価格を引き去り、ＩＣカードのデータを引き去り後の値に書き換えるとともに、前記販売商品の価格を売上集計データとして蓄積するＩＣカードリーダライタと、指令により遠隔地にあるデータ収集装置に対して通信回線を介して前記売上集計データを送信する通信手段と、プリンタとを具えた電子マネー対応自動販売機であって、前記ＩＣカードリーダライタが集計し保持していた売上集計データの前記データ収集装置への送信時に、前記プリンタから前記売上集計データとともに前記主制御部に設定されている当該自動販売機の機械番号，前記ＩＣカードリーダライタの識別番号及び前記セキュリティチップの識別番号を印字出力することを特徴とする電子マネー対応自動販売機。
【請求項２】
売上集計データの送信指令があった直後に印字データの一部を印字し、売上集計データの送信完了後に残りの印字データを印字することを特徴とする請求項１記載の電子マネー対応自動販売機。
【発明の詳細な説明】
【０００１】
【発明の属する技術分野】
本発明は、金銭的価値が電子データとして記録されているＩＣカード型電子マネーを使用して商品購入が可能な電子マネー対応自動販売機に関するものである。
【０００２】
【従来の技術】
近年、インターネットやＩＣカードの発達に伴って、金銭的価値を電子データに換えて取引を行う電子マネーの導入が検討され、各地で試行実験も行われるようになっている。そのような状況下において、自動販売機においても、電子マネーを使えるようにする必要性が高まっている。
【０００３】
従来、自動販売機においては、硬貨や紙幣を投入して商品を購入する方式のものが大部分であるが、一部に磁気記録式のプリペイドカードを使って商品を購入できるものも開発されている。そのような自動販売機では、磁気記録式のプリペイドカードが使用された場合は、プリペイドカードに記録されている残金から商品の価格分を引き去り、カード残金をその値に書き換えるとともに商品を排出する。
【０００４】
一方、プリペイドカードによる売上金をカード発行機関に請求するため、売上金額をメモリに記録しておき、集計時にそれをプリンタで打ち出してカード発行機関に送るようにしている。
【０００５】
そこで、自動販売機を電子マネー対応、特にＩＣカード型電子マネー対応にする場合、カード発行機関との間の精算を、上記プリペイドカード対応の自動販売機と同様な方式を適用することが考えられる。しかしながら、今後電子マネーが普及して取引量が多くなると、売上データをいちいちプリントアウトして請求する方式では対応しきれなくなる。そこで、各自動販売機とカード発行機関とを電話回線等で接続し、売上データを直接送信する方式が検討されている。
【０００６】
一方、自動販売機をＩＣカード型電子マネー対応にする場合、自動販売機にＩＣカードリーダライタを設け、それにセキュリティチップを取り付けて、ＩＣカードのデータの読み書きをセキュリティチップを介して行うようにしてセキュリティが確保されるようにする必要がある。
【０００７】
【発明が解決しようとする課題】
そして、ＩＣカード型電子マネー対応自動販売機において、ＩＣカード型電子マネーによる売上金額を電話回線等を通して送信する場合、送信した金額がカード発行機関から振り込まれたときに照合を行うため、送信時に送信結果をプリントアウトできるようにすることが望まれる。一方、ＩＣカードリーダライタは、通常取り替え可能になっており、セキュリティチップもＩＣカードリーダライタから容易に取り外し可能になっている。したがって、場合によっては、故意又は錯誤によりＩＣカードリーダライタやセキュリティチップが入れ替えられてしまい、エラーが発生する可能性もあるという問題点があった。
【０００８】
本発明は、そのような問題点を解決し、自動販売機におけるＩＣカード型電子マネーでの売上集計データのカード発行機関への送信時に、送信した売上集計データをプリントアウトして、送信した金額がカード発行機関から振り込まれたときに照合できるようにすると同時に、自動販売機，ＩＣカードリーダライタ及びセキュリティチップの固体識別もできるようにすることを目的とするものである。
【０００９】
【課題を解決するための手段】
前記課題を解決するため、請求項１に記載の電子マネー対応自動販売機は、自動販売機各部をそれぞれ個別に制御する複数の端末制御部と、それらの端末制御部を統括して制御する主制御部と、金銭的価値が電子データとして記録されているＩＣカードを受け入れて、セキュリティチップを介して前記ＩＣカードのデータの読み書きを行い、前記ＩＣカードのデータから販売商品の価格を引き去り、ＩＣカードのデータを引き去り後の値に書き換えるとともに、前記販売商品の価格を売上集計データとして蓄積するＩＣカードリーダライタと、指令により遠隔地にあるデータ収集装置に対して通信回線を介して前記売上集計データを送信する通信手段と、プリンタとを具えた電子マネー対応自動販売機であって、前記ＩＣカードリーダライタが集計し保持していた売上集計データの前記データ収集装置への送信時に、前記プリンタから前記売上集計データとともに前記主制御部に設定されている当該自動販売機の機械番号，前記ＩＣカードリーダライタの識別番号及び前記セキュリティチップの識別番号を印字出力することを特徴とする。このようにすると、送信した金額がカード発行機関から振り込まれたときに照合できるようになるとともに、自動販売機，ＩＣカードリーダライタ及びセキュリティチップの固体識別もできるようになる。
【００１０】
そして、請求項２に記載の電子マネー対応自動販売機は、売上集計データの送信指令があった直後に印字データの一部を印字し、売上集計データの送信完了後に残りの印字データを印字することを特徴とする。このようにすると、集計動作の開始と終了をプリンタの動作で確認できるようになる。
【００１１】
【発明の実施の形態】
以下、本発明の実施の形態を図面に基づいて詳細に説明する。
図１は、本発明のシステム図である。図１において、２はＩＣカードリーダライタ、３はインターフェース、４はコネクタ、７は入力装置、８はプリンタ、９は光アダプタ、１０はハンディーターミナル、１１はＩＣカード、１２はＰＨＳ電話機、１３はＰＨＳ基地局、１４は公衆回線、１５はデータ収集装置である。
【００１２】
自動販売機の主制御部１は、硬貨処理制御部５，販売制御部６等の端末制御部を統括して制御する。この主制御部１には、自動販売機ユーザにより、自動販売機の固体識別に用いる機械番号が設定されている。入力装置７は、商品価格，商品選択ボタンの設定等各種のデータを入力して主制御部１に設定するためのものである。プリンタ８は、売上データ等を印字出力するためのものである。ハンディーターミナル１０は、赤外線により通信を行う光アダプタ９を介して売上データ等を収集するためのものである。
【００１３】
そのような自動販売機制御部にＩＣカードリーダライタ２とインターフェース３を設けている。ＩＣカードリーダライタ２は、カード挿入口２ａを有しており、ＩＣカード１１のデータの読み書きが可能になっている。ＩＣカード１１には、金銭的価値が電子データとして記録されており、ＩＣカード型電子マネーとして機能する。また、ＩＣカードリーダライタ２には、セキュリティチップ２ｂが組み込まれており、ＩＣカード１１に対するデータの読み書きは、セキュリティチップ２ｂを介して行われる。その結果、正規のＩＣカード１１のみ使用が可能になり、それ以外のものは全て拒絶される。そのようにして、システムのセキュリティが確保されるようにしている。
【００１４】
ＩＣカードリーダライタ２のカード挿入口２ａにＩＣカード１１が挿入されると、ＩＣカードリーダライタ２は、ＩＣカード１１に記録されているデータを読み込んで残金を確認し、インターフェース３を介して主制御部１に通知する。それを受けて、ＩＣカード１１の残金で購入可能な商品の販売可のランプを点灯させる。そして、販売可の商品の内から商品選択ボタンで選択された商品を販売制御部６により搬出する。
【００１５】
ＩＣカードリーダライタ２は、それと同時に、選択された商品の価格を、ＩＣカード１１の残額から引き去ってデータを書き替える。また、その商品の価格を、ＩＣカードリーダライタ２内のメモリにカード売上集計データファイルとして蓄積しておく。
【００１６】
図２は、カード売上集計データファイルの内容の一例を示す図である。このデータファイルは、蓄積データ数が所定数になったとき、または、所定期間が経過したとき等に閉じられる。その後は、別のデータファイルが開かれて、その後の売上データは、そちらに蓄積される。そのようにして、ＩＣカードリーダライタ２内のメモリには、複数のカード売上集計データファイルが保持されることになり、それぞれのファイルには、連続番号が付されていく。
【００１７】
それぞれのファイル中、「ＩＣカードリーダライタＩＤ」は、当該ＩＣカードリーダライタ２に付与されている固有の番号であり、「セキュリティチップＩＤ」は、当該ＩＣカードリーダライタ２に組み込まれているセキュリティチップ２ｂに付与されている固有の番号である。「集計データファイル番号」は、そのカード売上集計データファイルの番号であり、「集計データステータス」は、当該ファイルをカード発行機関に送信済か否か、当該ファイルが現在開かれているか否か等、そのファイルの現在の状態を示している。
【００１８】
また、「合計金額」は、ＩＣカード１１による売り上げ金額を蓄積した結果の合計金額である。「カード挿入回数」は、当該ファイルが開いている期間にＩＣカードリーダライタ２にＩＣカード１１が挿入された累計の回数、「拒絶回数」は、当該ファイルが開いている期間中にＩＣカード１１が挿入されたが、カードの不正，通信異常等により受入れが拒絶された累計の回数である。したがって、「カード挿入回数」−「拒絶回数」が、実際にＩＣカードにより売上があった回数になる。そして、「ファイルクローズ時刻」は、当該ファイルが閉じられた時刻を記録している。
【００１９】
一方、インターフェース３には、コネクタ４を介してＰＨＳ電話機１２が接続可能になっており、ＩＣカードリーダライタ２に保持されているカード売上集計データファイルは、送信指令に基づきＩＣカードリーダライタ２からインターフェース３，ＰＨＳ電話機１２，ＰＨＳ基地局１３及び公衆回線１４を介して、カード発行機関のデータ収集装置１５に送られる。
【００２０】
インターフェース３は、例えば６桁の７セグメントＬＥＤよりなる表示器３ａと複数の設定ボタン３ｂとを具えており、データ収集装置１５の電話番号や通信状態がよくない時のリトライ回数等の設定ができるようにしている。
【００２１】
なお、インターフェース３と公衆回線１４との接続は、移動可能なＰＨＳ電話機１２を用いれば、特別な配線工事が不要になる上、他の自動販売機と共通に用いることができてコスト的に有利になるが、各自動販売機に固定式のＰＨＳ無線機を設けてもよい。そのようにすれば、各自動販売機毎にＰＨＳ無線機が必要になる分コストは高くなるが、操作が簡単になる。なお、電話機としては、ＰＨＳに限らず携帯電話でもよい。また、ＩＣカードリーダライタ２と公衆回線１４との接続をインターフェース３やＰＨＳ電話機１２等を介さずに有線の電話回線で直接接続してもよい。そのようにすれば、電話線を引く配線工事が必要になるが、操作が簡単になり、通信も安定的に行える。
【００２２】
送信指令は、従来から入力装置７やハンディーターミナル１０又はプリンタ８に設けられている集計（クリア）キーを押すことにより、自動販売機の通常の集計動作の開始指令と連動して行われる。すなわち、入力装置７やハンディーターミナル１０あるいはプリンタ８の集計（クリア）キーが押されると、通常の集計動作を行った後、電子マネーの集計動作が連続して行われ、ＩＣカードリーダライタ２に保持されている未送信のカード売上集計データファイルが全てデータ収集装置１５に送られる。
【００２３】
さらに、電子マネーの集計動作を単独で行うための集計開始ボタン３ｃをインターフェース３に別途設けている。ＰＨＳの通信状況が悪くて通信エラーが頻繁に起きるような場合、入力装置７やハンディーターミナル１０、あるいはプリンタ８の集計（クリア）キーを使ってリトライすると、電子マネーの集計動作に加えて通常の集計動作も無駄に繰り返すことになるが、電子マネーの集計動作を単独で行うための集計開始ボタンを使ってリトライすれば、そのような不都合がなくなる。
【００２４】
そのようにしてカード売上集計データファイルがデータ収集装置１５に送信され、それが完了すると、データ収集装置１５から受領確認データが返送されてくる。受領確認データは、「受信したデータは正常に受領したのでＩＣカードリーダライタ２から消去してよい」ことを通知するための更新情報である。そして、カード発行機関は、受領したカード売上集計データに基づいて、商品販売者（自動販売機の運営機関）に売上金の振り込みを行うことになる。
【００２５】
そして、カード発行機関から振り込みがあった時に照合できるように、前記集計動作の実行時に、カード発行機関へ送信したカード売上集計データの内の必要部分をプリンタ８により印字出力する。
【００２６】
図３は、プリントフォーマットの一例を示す図である。最初にタイトルを印字する。次にプリント番号と集計動作を開始した日時とを印字する。プリント番号は、印字の度にインターフェース３が連番で付与する。その次に、自動販売機の固体識別を行えるように、当該自動販売機の主制御部１にユーザが設定している機械番号を、主制御部１から読み込んで印字する。その後に、データ収集装置１５との接続を、ＩＣカードリーダライタ２からインターフェース３経由で接続しているか、ＩＣカードリーダライタ２から直接接続しているかを示すため、前者であれば「ジハンキ」を印字し、後者であればカードリーダライタを意味する「ＣＲＷ」を印字する。
【００２７】
さらに、カード売上集計データファイルからＩＣカードリーダライタＩＤとセキュリティチップＩＤとを読み出して印字した後、今回データ収集装置１５に送信した全てのカード売上集計データファイルの集計データファイル番号，売上件数及びファイル合計金額をそれぞれ印字する。それらの内、集計データファイル番号及びファイル合計金額は、各カード売上集計データファイルから読み出してそのまま印字するが、売上件数は、各カード売上集計データファイル中のカード挿入回数から拒絶回数を差し引いた値を印字する。
【００２８】
そして、各カード売上集計データファイルの取扱い件数とファイル合計金額の合計を印字し、最後に、処理結果を印字する。すなわち、集計動作が正常に完了した場合は、「シュウリョウ」を印字する。一方、集計動作の途中で異常が発生した場合は、図４に示すように、「エラー」の文字とともに、エラーの内容を印字する。
【００２９】
また、プリンタ８は、売上集計データの送信指令があったら、直ちに印字データの一部、例えば、タイトル部分、あるいは、タイトルからセキュリティチップＩＤまでの部分を印字して、一旦停止させる。そして、売上集計データの送信が完了した後に残りの部分を印字する。そのようにすれば、集計動作の開始と終了をプリンタの動作で確認できるようになる。
【００３０】
【発明の効果】
本発明は、以上説明したように構成されているので、次に記載するような効果を奏する。
すなわち、請求項１に記載の電子マネー対応自動販売機は、売上集計データのデータ収集装置への送信時に、売上集計データとともに当該自動販売機の機械番号，ＩＣカードリーダライタの識別番号及びセキュリティチップの識別番号をプリンタで印字出力するようにした。その結果、送信した金額がカード発行機関から振り込まれたときに照合できるようになるとともに、自動販売機，ＩＣカードリーダライタ及びセキュリティチップの固体識別も可能になる。
【００３１】
そして、請求項２に記載の電子マネー対応自動販売機は、売上集計データの送信指令があった直後に印字データの一部を印字し、売上集計データの送信完了後に残りの印字データを印字するようにしたので、集計動作の開始と終了をプリンタの動作で確認できるようになる。
【図面の簡単な説明】
【図１】本発明のシステム図である。
【図２】カード売上集計データファイルの内容の一例を示す図である。
【図３】プリントフォーマットの一例を示す図である。
【図４】エラー発生時のプリントフォーマットの一例を示す図である。
【符号の説明】
２…ＩＣカードリーダライタ
３…インターフェース
４…コネクタ
７…入力装置
８…プリンタ
９…光アダプタ
１０…ハンディーターミナル
１１…ＩＣカード
１２…ＰＨＳ電話機
１３…ＰＨＳ基地局
１４…公衆回線
１５…データ収集装置
【図１】
0003624697.tif 000002
【図２】
0003624697.tif 000003
【図３】
0003624697.tif 000004
【図４】
0003624697.tif 000005